(57)【特許請求の範囲】
【請求項１】
撮影領域内の複数のエリアの測光が可能な測光手段と、
所定の被写体に対して露出量をロックする動作が行われるようにカメラを設定する露出ロック操作手段と、
複数の測光エリアについて定常光の測光データを各々得る測光データ取得手段と、
フラッシュ撮影に先立って予備的な発光を行い、複数の測光エリアについてその光の被写体からの反射光量を測定したデータを各々得る予備発光データ取得手段と、
前記露出ロック操作手段が操作されていないとき、測光データ取得手段と予備発光データ取得手段でそれぞれ得られたデータから得られる輝度分布に基づいて採用する取得データを決定し、採用された取得データに基づいて定常光及びフラッシュ光による露光を制御し、前記露出ロック操作手段が操作されているとき、それぞれで取得されたデータのうちの所定の被写体に対応するエリアの取得データに基づいて定常光及びフラッシュ光による露光を制御する制御手段と
を備えたことを特徴とするカメラの露出制御装置。
【請求項２】
撮影領域内の複数のエリアの測光が可能な測光手段と、
所定の被写体に対して露出量をロックする動作が行われるようにカメラを設定する露出ロック操作手段と、
複数の測光エリアについて定常光の測光データを各々記憶させる測光データ記憶手段と、
フラッシュ撮影に先立って予備的な発光を行い、複数の測光エリアについてその光の被写体からの反射光量を測定したデータを各々記憶させる予備発光データ記憶手段と、
前記測光データ記憶手段と予備発光データ記憶手段の両者にデータを記憶させ、前記露出ロック操作手段が操作されていないとき、それぞれに記憶されたデータから得られる輝度分布に基づいて採用する記憶データを決定し、採用された記憶データに基づいて定常光及びフラッシュ光による露光を制御し、前記露出ロック操作手段が操作されているとき、それぞれに記憶されたデータのうちの所定の被写体に対応するエリアの記憶データに基づいて定常光及びフラッシュ光による露光を制御する制御手段と
を備えたことを特徴とするカメラの露出制御装置。
【請求項３】
撮影領域内の複数のエリアの測光が可能な測光手段と、
所定の被写体に対して露出量をロックする動作が行われるようにカメラを設定する露出ロック操作手段と、
複数の測光エリアについて定常光の測光データを記憶させる測光データ記憶手段と、
フラッシュ撮影に先立って予備的な発光を行い、複数の測光エリアについてその光の被写体からの反射光量を測定したデータを記憶させる予備発光データ記憶手段と、
フラッシュ撮影と非フラッシュ撮影とを切換える切換手段と、
前記露出ロック操作手段が操作されていない時、フラッシュ撮影時には前記予備発光データ記憶手段に記憶されたデータにより得られる輝度分布に基づいて採用する記憶データを決定し、採用された記憶データに基づいてフラッシュ光による露光を制御し、非フラッシュ撮影時には前記測光データ記憶手段に記憶されたデータにより得られる輝度分布に基づいて採用する記憶データを決定し、採用された記憶データに基づいて定常光による露光を制御を制御するとともに、前記露出ロック操作手段が操作されている時、フラッシュ撮影時には少なくとも前記予備発光データ記憶手段に記憶されたデータの中の所定の被写体に対応するエリアの記憶データに基づいてフラッシュ光による露光を制御し、非フラッシュ撮影時には少なくとも前記測光データ記憶手段に記憶されたデータの中の所定の被写体に対応するエリアの記憶データに基づいて定常光による露光を制御する制御手段と
を備えたことを特徴とするカメラの露出制御装置。
【発明の詳細な説明】
【０００１】
【産業上の利用分野】
本発明は、所定の被写体に対して露出量をロックする動作が行われるように設定する機能を有したカメラの露出制御装置に関する。
【０００２】
【従来の技術】
従来からカメラの露出制御装置において、所定の被写体に対する露出量を所望値にロックする機能（以下、露出ロックという）を有したものがあるが、これは定常光に対する露出のロック（以下、ＡＥロックという）を行うものであり、フラッシュ光での露光に対するロック（以下、ＦＥロックという）機能を働かせるようにはなっていない。その他に、このＦＥロック機能をも有したものがあるが、そのＦＥロック機能がＡＥロック機能と同時に動作するようにはなっていない。しかも、ＦＥロックとＡＥロックとはそれぞれ操作部材が異なっている。従って、フラッシュ装着時と非装着時との制御動作をどのように関連付けるか、或いは、それらのロック制御を多点調光とどのように関連付けるかについては深く考察されていない。
【０００３】
【発明が解決しようとする課題】
この種の露出制御装置において、フラッシュ光による露出に対するロックつまりＦＥロックを、通常の定常光による露出のロックつまりＡＥロックと同様に扱って、撮影しようとする狙った被写体に対して適正なフラッシュ制御を行いたいとの要請がある。また、定常光とフラッシュ光の両方を考慮した撮影を行うには、定常光とフラッシュ光とが同時にロックできるのが望ましい。さらに、１つのＡＥロックを行う操作部材の操作でもって、例えば、フラッシュ撮影でない時とフラッシュ撮影時とで、ＡＥロックとＦＥロックの場合分けが簡単明瞭となれば、取扱いが容易となり、使い勝手の向上が図れる。
本発明は、上述したような要請に応えるものであり、▲１▼多点測光によるフラッシュ光の調光が可能なものにおいて、ロック動作を中央エリアのみに限定し、従来のスポットＡＥロックと同様の操作性を得る、▲２▼定常光とフラッシュ光の露光を同時にロックすることができる、▲３▼定常光とフラッシュ光でのロック操作部材を兼用することができる、カメラの露出制御装置を提供することを目的とする。
【０００４】
【課題を解決するための手段】
この目的を達成するために請求項１の発明は、撮影領域内の複数のエリアの測光が可能な測光手段と、所定の被写体に対して露出量をロックする動作が行われるようにカメラを設定する露出ロック操作手段と、複数の測光エリアについて定常光の測光データを各々得る測光データ取得手段と、フラッシュ撮影に先立って予備的な発光を行い、複数の測光エリアについてその光の被写体からの反射光量を測定したデータを各々得る予備発光データ取得手段と、露出ロック操作手段が操作されていないとき、測光データ取得手段と予備発光データ取得手段でそれぞれ得られたデータから得られる輝度分布に基づいて採用する取得データを決定し、採用された取得データに基づいて定常光及びフラッシュ光による露光を制御し、露出ロック操作手段が操作されているとき、それぞれで取得されたデータのうちの所定の被写体に対応するエリアの取得データに基づいて定常光及びフラッシュ光による露光を制御する制御手段とを備えたカメラの露出制御装置である。
請求項２の発明は、撮影領域内の複数のエリアの測光が可能な測光手段と、所定の被写体に対して露出量をロックする動作が行われるようにカメラを設定する露出ロック操作手段と、複数の測光エリアについて定常光の測光データを各々記憶させる測光データ記憶手段と、フラッシュ撮影に先立って予備的な発光を行い、複数の測光エリアについてその光の被写体からの反射光量を測定したデータを各々記憶させる予備発光データ記憶手段と、前記測光データ記憶手段と予備発光データ記憶手段の両者にデータを記憶させ、前記露出ロック操作手段が操作されていないとき、それぞれに記憶されたデータから得られる輝度分布に基づいて採用する記憶データを決定し、採用された記憶データに基づいて定常光及びフラッシュ光による露光を制御し、前記露出ロック操作手段が操作されているとき、それぞれに記憶されたデータのうちの所定の被写体に対応するエリアの記憶データに基づいて定常光及びフラッシュ光による露光を制御する制御手段とを備えたカメラの露出制御装置である。
請求項３の発明は、撮影領域内の複数のエリアの測光が可能な測光手段と、所定の被写体に対して露出量をロックする動作が行われるようにカメラを設定する露出ロック操作手段と、複数の測光エリアについて定常光の測光データを記憶させる測光データ記憶手段と、フラッシュ撮影に先立って予備的な発光を行い、複数の測光エリアについてその光の被写体からの反射光量を測定したデータを記憶させる予備発光データ記憶手段と、フラッシュ撮影と非フラッシュ撮影とを切換える切換手段と、前記露出ロック操作手段が操作されていない時、フラッシュ撮影時には前記予備発光データ記憶手段に記憶されたデータにより得られる輝度分布に基づいて採用する記憶データを決定し、採用された記憶データに基づいてフラッシュ光による露光を制御し、非フラッシュ撮影時には前記測光データ記憶手段に記憶されたデータにより得られる輝度分布に基づいて採用する記憶データを決定し、採用された記憶データに基づいて定常光による露光を制御を制御するとともに、前記露出ロック操作手段が操作されている時、フラッシュ撮影時には少なくとも前記予備発光データ記憶手段に記憶されたデータの中の所定の被写体に対応するエリアの記憶データに基づいてフラッシュ光による露光を制御し、非フラッシュ撮影時には少なくとも前記測光データ記憶手段に記憶されたデータの中の所定の被写体に対応するエリアの記憶データに基づいて定常光による露光を制御する制御手段とを備えたカメラの露出制御装置である。
【０００５】
【作用】
請求項１の構成によれば、測光データ取得手段に複数の測光エリアについての定常光の測光データを取得させ、予備発光データ取得手段に、フラッシュ撮影に先立つ予備的発光の複数の測光エリアについての被写体からの反射光量を測定したデータを取得させ、これら両者の取得データの中から必要なデータを選択して定常光及びフラッシュ光による露光が制御される。すなわち、露出ロック操作手段が操作されていない時は輝度分布に基づいて採用する取得データを選択し、露出ロック操作手段が操作されている時は所定の被写体に対応するエリアの取得データを選択し、それぞれ露光が制御される。
請求項２の構成によれば、測光データ記憶手段に複数の測光エリアについての定常光の測光データを記憶させ、予備発光データ記憶手段に、フラッシュ撮影に先立つ予備的発光の複数の測光エリアについての被写体からの反射光量を測定したデータを記憶させ、これら両者の記憶データの中から必要なデータを取り出し、定常光及びフラッシュ光による露光が制御される。すなわち、露出ロック操作手段が操作されていない時は輝度分布に基づいて採用する記憶データを取り出し、露出ロック操作手段が操作されている時は所定の被写体に対応するエリアの記憶データを取り出し、それぞれ露光が制御される。
請求項３の構成によれば、測光データ記憶手段に複数の測光エリアについての定常光の測光データを記憶させ、予備発光データ記憶手段に、フラッシュ撮影に先立つ予備的発光の複数の測光エリアについての被写体からの反射光量を測定したデータを記憶させる。そして、露出ロック操作手段が操作されている時、フラッシュ撮影時には予備発光データ記憶手段に記憶されたデータの中から必要なデータを取り出し、フラッシュ光による露光が制御され、非フラッシュ撮影時には測光データ記憶手段に記憶された定常光データの中から必要なデータを取り出し、定常光による露光が制御される。すなわち、露出ロック操作手段が操作されていない時は輝度分布に基づいて採用する記憶データを取り出し、露出ロック操作手段が操作されている時は所定の被写体に対応するエリアの記憶データを取り出し、それぞれ露光が制御される。
【０００６】
【実施例】
図１は本発明が適応されるＴＴＬによる１眼レフカメラにおける測光光学系の概略構成図である。被写体からの光は、撮影レンズＴＬを介してクイックリターンミラーＭ１にて反射され、焦点板ＦＳの焦点面ＦＰに結像する。焦点面ＦＰに結像した被写体像は、ペンタプリズムＰを介して正立像となり、接眼レンズＥＰを通して観察することができる。接眼レンズＥＰの近傍に配された測光レンズＬは、焦点面ＦＰと測光素子ＳＰＤ（同素子は定常光の測光とフラッシュの予備発光の被写体からの反射光の測光に兼用される）の受光面とが共役になるように構成されており、測光素子ＳＰＤには焦点面ＦＰに結像した撮影画面が縮小して投影される。測光素子ＳＰＤは、複数の測光素子ＳＰＤｉ（ｉ＝１，２，…）に分割されており、撮影画面を複数の測光エリアに分割して、各測光エリアについて個別に測光値が得られるようになっている。上記クイックリターンミラーＭ１の中央部は半透過性となっており、これを透過した光は全反射ミラーＭ２により反射され、焦点検出部ＦＤに導かれるようになっている。焦点検出部ＦＤは入射した光により、不図示のセンサが働き、マイクロコンピュータ（以下、マイコンと略す）と協働し、焦点検出を行う。
【０００７】
図２は、本実施例のカメラ全体のシーケンス及び各種演算を行うマイコンμＣとその周辺装置の概略構成を示す。マイコンμＣには、信号接点部を介してレンズ情報を入力する交換レンズ１１と、測光及び調光を行なう測光／調光回路１２と、位相差検出方式の焦点検出装置１３と、レンズ駆動用のモータＭを駆動するモータ駆動回路１４と、信号接点部を介して接続される外付けのフラッシュ（ＦＬ）１５と、ファインダー内に撮影設定状況を表示するインファインダー表示部１６（表示Ｉ）と、同表示をオンボディ表示する表示部１７（表示II）とが接続されている。また、スイッチ類としては、レリーズ釦の第１の押し込みでＯＮし、カメラを起動させる測光スイッチＳ１と、レリーズ釦の第２の押し込みでＯＮし、レリーズを行うレリーズスイッチＳ２と、ＡＥロックを行うときにＯＮ操作されるＡＥロックスイッチＳAEL （露出ロック操作部材）と、ワンショットモード（１度合焦するとそれ以後の焦点検出を禁止するモード）とコンティニュアスモード（常に合焦状態となるように焦点検出を連続的に行うモード）との状態を切り換える切換スイッチＳ１２と、フォーカルプレンシャッタの１幕の走行完了でＯＮし、外付けフラッシュ１５を発光させる接点Ｓｘが設けられている。
【０００８】
マイコンμＣによるカメラ動作を以下に説明する。測光スイッチＳ１のＯＮによりマイコンμＣは図３のフローを実行する。尚、フロ−チャ−ト中で使用するフラグの一覧を下に示す。
【０００９】
【表１】
0003543098.tif 000002
【００１０】
まず、全フラグをリセットし（＃５）、レンズ情報を入力する（＃１０）。レンズ情報としては開放Ｆ値（ＡＶ0 ）、焦点距離（ｆ）、現在ピントのあっている被写体距離（ＤＶ）などがある。そして、焦点検出及び調節（ＡＦ）、測光演算を行って測光値を決め、露出（ＡＥ）演算を行って、フラッシュの発光量を含めた露出量を決定する（＃１５〜＃２５）。その後、各種スイッチの操作状態を検出し（＃３０）、これに応じた制御を行い、表示を行う（＃３５）。ここでの表示はシャッタスピード、絞り値、フラッシュ発光モードの有／無などである。
【００１１】
その後、レリーズスイッチＳ２の状態を調べ（＃４０）、同スイッチＳ２がＯＮされると、合焦後であるか否かをフラグにより判定し（＃４５）、合焦後（ＡＦＥＦ＝１）であれば、コンティニュアスモードか否かを判定し（＃４７）、コンティニュアスモードであればＡＥロックスイッチＳAEL が操作されているか否かをフラグにより判定し（＃５０）、操作されていれば（ＳＡＥＬＦ＝１）、以前測光された測光値がすでにロックされているので、直ちに露出制御を行い（＃６０）、操作されていなければフラッシュが装着されているか否かを判定し（＃５２）、フラッシュが装着されていれば、再度露出演算を行ってから（＃５５）、露出制御を行う（＃６０）。コンティニュアスモードでなければ、或いは、フラッシュが装着されていなければ、直ちに露出制御を行い（＃６０）、停止する。上記＃４０で、レリーズスイッチＳ２がＯＮされていない時、或いは、同スイッチＳ２がＯＮされていても＃４５で合焦後でないとき（ＡＦＥＦ＝０）は、＃６５に進み、測光スイッチＳ１がＯＮされているか否かを判定し、ＯＮされていれば＃１０へ戻り、ＯＮされていなければ動作を停止する。尚、＃５５で再度ＡＥ演算を行う意味については図１０と併せて後述する。
【００１２】
図４は、画面内に占める測光エリアと合焦検出エリアを示す。（Ａ）は撮影画面であり、その中に互いに等しい３つの領域を有する。各領域中の横長の長方形は焦点検出エリア（１）〜（３）を示し、これを取り囲む円はスポット測光及び調光エリアを示し、その外側の長方形は周辺測光エリアを示す。ここでの調光は、撮影前にフラッシュ光を光らせ（以下、これをプリ発光と記す）、被写体からの反射光量を測定し、この測定値からフラッシュ撮影時のフラッシュ発光量を求めることをいう。
【００１３】
次に、ＡＦのサブルーチンを図５を参照して説明する。まず、不図示の積分型ラインセンサによる積分を行い、積分終了後、データダンプを行い、相関演算を行う（＃１００〜＃１１０）。この相関演算で全焦点検出エリア（１，２，３）の焦点検出の可／不可を判定する（＃１１５）。全エリアについて焦点検出が不可であればリターンする。１つのエリアでも焦点検出が可能であれば、ワンショットＡＦ（１度合焦すると、それ以降の焦点検出を禁止する）か否かを判定し  （＃１２０）、ワンショットＡＦであれば、合焦後であるか否かをフラグにより判定し（＃１２５）、合焦後（ＡＦＥＦ＝１）であれば、リターンする。ワンショットＡＦでない、或いはワンショットＡＦでも合焦後でなければ、＃１３０に進む。＃１３０ではデフォーカス（ＤＦ）調整すべきエリアを決定し、合焦を示すフラグ（ＡＦＥＦ）をリセットし（＃１３２）、決定したエリアのＤＦ量を決定する（＃１３５）。なお、エリア決定のアルゴリズムは、本発明の主旨でないので詳細説明を省略するが、例えば、カメラに一番近い被写体が存在するエリアを選択するといったことが考えられる。次に、検出したＤＦ量から合焦か否かを判定し（＃１４０）、合焦であれば、合焦を示すフラグ（ＡＦＥＦ＝１）をセットし（＃１４５）、合焦でなければ、ＤＦ量に基づいてレンズ駆動を行って（＃１５０）、リターンする。
【００１４】
次に、測光演算のフローチャートを図６を参照して説明する。この処理は定常光の測光を行うものであり、まず、ＡＥロック後か否かをフラグにより判定し  （＃２００）、ＡＥロック後であれば（ＡＥＬＦ＝１）、直ちにリターンする。ＡＥロック後でなければ、合焦後であるか否かをフラグにより判定し（＃２０５）、合焦後（ＡＦＥＦ＝１）であればワンショットＡＦか否かを判定し（＃２１０）、ワンショットＡＦであれば、フラグ（ＡＥＬＦ）をセットし（＃２２０）、＃２２５の測光のサブルーチンに進む。このフラグセットの意義を説明する。ワンショットＡＦではフリーズ撮影（合焦後、カメラを別の被写体の方向にパンニングする）を行なっている可能性があり、その場合に、再度測光を行うと合焦した被写体とは異なった被写体に対して適正露出が得られることとなり好ましくない。上述の＃２２０でフラグをセットすることにより、この測光演算の処理に再度入った時には＃２００から直ちにリターンする。従って、ワンショットＡＦで合焦が得られた後に、一度＃２２５、＃２３０の処理が行われると、その処理が再度行われることがなく、一度記憶した測光値は、その後に再記憶更新されない。＃２０５で合焦ではない、或いは＃２１０でワンショットＡＦでなければ、＃２２５に進む。
【００１５】
図７は上記＃２２５の測光のサブルーチンを、図８は測光回路を示す。まず、図８を参照して測光回路を説明する。この測光回路は、積分型のセンサ回路１〜６、マルチプレクサＭＰＸ等からなり、プリ発光の測光にも利用される。センサ回路１〜６は、上述した３つの領域のスポット及び周辺の計６個の測光エリアに対応して設けられており、測光素子ＳＰＤからの電荷を蓄積、制御する。すなわち、センサ回路１〜６は、ｐｎ接合フォトダイオード等でなる測光素子ＳＰＤ、ＭＯＳトランジスタＱ１〜Ｑ４，積分用コンデンサＣなどから構成され、測光素子ＳＰＤから受光により出力される電流を対数化し、その電荷をコンデンサＣに蓄積する。
【００１６】
センサ回路１〜６の構成を説明すると、フォトダイオード（ＳＰＤ）のアノードは、第１のｎチャネルＭＯＳトランジスタＱ１のドレインとゲート及び第２のｎチャネルＭＯＳトランジスタＱ２のゲートに接続されている。また、フォトダイオード（ＳＰＤ）のカソードにはＤＣ電圧ＶDD1 が、トランジスタＱ１のソースにはＤＣ電圧ＶSS1 が、トランジスタＱ２のドレインにはＤＣ電圧ＶDD2 が夫々印加されている。さらに、トランジスタＱ２のソースはトランジスタＱ３、コンデンサＣを介してＤＣ電圧ＶSS2 に接続されている。一方、トランジスタＱ１の基板にはＤＣ電圧ＶSUB1が印加され、トランジスタＱ２の基板には、トランジスタＱ２がトランジスタＱ１と同一の基板上またはウェル内に形成される場合にはＤＣ電圧ＶSUB1が印加され、トランジスタＱ２がトランジスタＱ１と異なる基板上またはウェル内に形成される場合にはＤＣ電圧ＶSUB2が印加され、或いはトランジスタＱ２のソースが接続される。本回路では、フォトダイオード（ＳＰＤ）による光電流の積分値は対数圧縮されてトランジスタＱ３のソースとコンデンサＣの接続点の電圧Ｖ0 となる。
【００１７】
積分制御を説明すると、コンデンサＣに並列に接続したトランジスタＱ４のゲートに信号φＲを印加し、コンデンサＣをリセットした後、信号φＧをトランジスタＱ３のゲートに印加してトランジスタＱ３をＯＮさせて積分を開始させる。一定時間後、トランジスタＱ３をＯＦＦして積分を終了させ、コンデンサＣの出力値をバッファＢｕｆを通してマルチプレクサＭＰＸに入力する。マイコンμＣからの選択信号により、順次、測光値或いは調光値がマルチプレクサＭＰＸよりマイコンμＣへ入力され、マイコンμＣはＡ／Ｄ変換を行って測光値を得る。６つの測光エリアに対応した測光回路１〜６は全て同じ回路構成であるが、測光素子ＳＰＤの受光面積は異なるので、コンデンサＣの大きさ調整と電流制御を行うことにより、同一輝度であれば、同一電圧が得られるようにしておく。
【００１８】
次に、図７により測光のサブルーチン動作を説明する。測光回路１〜６に対応した参照変数をＭとし、まず、Ｍ＝１とし、積分用コンデンサをリセットする  （＃４００，＃４０５）。次に、積分用コンデンサへの積分を開始させ、一定時間（１msec〜２msec）計測させ、積分を終了させる（＃４１０〜＃４２５）。その後、マイコンμＣは積分値信号をマルチプレクサＭＰＸに出力するように信号を出力し、これにより、マルチプレクサＭＰＸはアナログ信号をマイコンμＣに出力する（＃４３０）。マイコンμＣはこのアナログ信号をＡ／Ｄ変換し（＃４３５）、この変換値をメモリの所定のアドレスに記憶させる（＃４４０）。例えば、レジスタのＭ番目のアドレスに記憶させる。そして、Ｍ＝６か否かを判定し（＃４４５）、Ｍ＝６でなければＭ＝Ｍ＋１にして（＃４５０）、＃４３０に戻り、処理を繰り返す。＃４４５でＭ＝６となれば、このフローを終了すべくリターンする。上記の測光演算フローの測光サブルーチンにより、定常光での測光値が記憶される。
【００１９】
測光演算のフローでは、上記測光処理の後、光分布状態検出のフロー（図６の＃２３０）を実行してリターンする。この光分布状態検出のフローを図９に示し、以下、これを説明する。まず、焦点距離ｆと被写体距離ＤＶとから撮影倍率βを求め（＃２５０）、次に、外付フラッシュＦＬからデータを入力する。このデータとしては、フラッシュが装着されているか否かを示すフラグデータと、発光量の最大ガイドナンバ−値ＧＮMAX がある。次に、入力した測光データから各領域中央のスポット測光エリアの測光値ＢＶSPN （Ｎ＝１〜３は撮影画面内の領域の位置を示す。以下同じ）、その周辺測光エリアの測光値ＢＶAMN 、領域毎の平均測光値ＢＶCN＝（ＢＶSPN ＋ＢＶAMN ）／２、及び下式に基づいた撮影画面全体の平均測光値を夫々求める（＃２６０）。なお、上述の変数Ｍ１〜３は測光値ＢＶSP1 〜3 と、変数Ｍ４〜６は測光値ＢＶAM1 〜3 と対応する。
【００２０】
【数１】
0003543098.tif 000003
【００２１】
そして、逆光を示すフラグＢＬＦをリセットし（＃２６５）、ＡＦル−チンにより選択された焦点検出エリアが存在する領域のΔＢＶN ＝ＢＶAMN −ＢＶSPN を求め（＃２７５）、このΔＢＶN が所定値ＫΔＢＶ以上か否かを判定し（＃２８０）、ＫΔＢＶ以上であれば逆光とし、逆光フラグＢＬＦをセットし（＃２８５）、＃２９０へ、ΔＢＶN が所定値未満であれば、すぐに＃２９０に進む。＃２９０では焦点距離ｆと被写体距離ＤＶとから被写体距離の信頼性を判断する。これは短い焦点距離のレンズほど、ある距離範囲（例えば１ｍ〜∞）におけるＤＦ量差が小さく、つまり単位ＤＦ量あたりの距離範囲が広くなる。これにより、ＤＦ量に基づいてレンズ駆動を行う一眼レフカメラでは、短い焦点距離ほど距離精度が悪くなる。また、ＤＦ量は距離に反比例するので、被写体距離が遠くなるほど単位ＤＦ量あたりの距離範囲が広くなり精度が悪い。表２に焦点距離ｆと被写体距離ＤＶとに関する信頼性の有／無を記す。×印が信頼性の不十分な部分である。
【００２２】
【表２】
0003543098.tif 000004
【００２３】
次に、ＡＥロックスイッチがＯＮされたか否かを判定し（＃２９５）、ＯＮされていれば（ＳＡＥＬＦ＝１）、ＡＥロックスイッチが押されていることとなるので、中央領域のスポット測光値ＢＶSP2 を制御輝度ＢＶｃとし（＃３００）、リターンする。ＯＮされていないなら（ＳＡＥＬＦ＝０）、逆光か否かを判定し（＃３０５）、逆光であれば（ＢＬＦ＝１）、フラッシュが装着されているか否かを判定し（＃３１０）、フラッシュが装着されていなければ、背景は無視して主被写体のみを適正にするようピントのあった領域のスポット測光値ＢＶSPN に基づいて制御輝度ＢＶｃを決定し（＃３１５）、リターンする。フラッシュが
装着されていれば、ピントの合った領域の背景測光値ＢＶAMN の輝度に対して定常光の制御を行うことを基本とし、逆光らしくみせるために、定常光を１段オーバー（マイナス１）にすべく、制御輝度ＢＶｃをＢＶAMN −１としてリターンする（＃３２０）。
【００２４】
＃３０５で逆光でないときは、＃３２５に進み、被写体距離に信頼性が有るか否かを表２（これはテーブルとして、メモリされている）に基づいて判断し、信頼性が有るときは、撮影倍率βが１／８０以下かどうかを判定し（＃３３０）、１／８０以下であれば画面全体が主被写体（例えば風景）であるとし、制御輝度ＢＶｃとして平均輝度ＢＶAVE を取り（＃３４０）、リターンする。撮影倍率βが１／８０を越えるときは、人物或いは特定の物体が主被写体であるとし、ピントの合った領域の平均測光値ＢＶCNを制御輝度ＢＶｃとして（＃３３５）、リターンする。＃３２５で信頼性がないときには、平均輝度ＢＶAVE を制御輝度ＢＶｃとして（＃３４０）、リターンする。
【００２５】
図１０は、ＡＥ演算のフローを示し、以下これを説明する。まず、フラッシュが装着されているか否かを判定し（＃５００）、フラッシュが装着されていなければ、既に決定されている制御輝度に基づき定常光による露出演算を行って、絞り値ＡＶ、シャッタスピードＴＶを決定し（＃５０５）、リターンする。なお、外付けフラッシュの場合、その装着の有無によりフラッシュの発光モードと非発光モードとが切換えられるが、内蔵フラッシュの場合は、モード切換部材をカメラに装備すればよい。フラッシュが装着されていれば、予備発光（プリ発光）を行ったことを示すフラグ（ＦＬＦ）がセットされているか否かを判定し（＃５１０）、セットされていればリターンする。フラグ（ＦＬＦ）は、プリ発光が一度行われるとセットされるため、＃５１０により再度のプリ発光が禁止されていることになる。フラグ（ＦＬＦ）がセットされていなければ、ＡＥロックスイッチがＯＮされているか否かを判定し（＃５１５）、ＯＮされていれば（ＳＡＥＬＦ＝１）、フラッシュのプリ発光の制御をすべく＃５３５に進む。ＯＮされていなければ（ＳＡＥＬＦ＝０）、合焦完であるか否かを判定し（＃５２０）、合焦完でなければ（ＡＦＥＦ＝０）、リターンする。合焦完であれば（ＡＦＥＦ＝１）、レリーズスイッチＳ２がＯＮされているか否かを判定し（＃５２５）、ＯＮされていればプリ発光制御へ（＃５３５）、ＯＮされていなければコンティニュアスＡＦか否かを判定し（＃５３０）、コンティニュアスＡＦであれば、プリ発光制御を行うことなく＃５６０へ、コンティニュアスＡＦでなければ、プリ発光制御に進む。
【００２６】
上記＃５２０から＃５３０の制御の目的を以下に説明する。本実施例では、合焦状態が得られた主被写体に対して正確にフラッシュ光量を決めることを目的とし、合焦後すぐにプリ発光を行うようにしている。合焦後、時間が経てばフリーズ撮影されることがあり、その時点でプリ発光を行っても主被写体以外の被写体に対してフラッシュ光量を決定することになり不都合である。そのため、ワンショットＡＦではプリ発光を測光スイッチＳ１のＯＮ後で、合焦検出後に直ちに行う。一方、コンティニュアスＡＦでは、レリーズスイッチＳ２がＯＮされる前は合焦後もピントがずれればレンズ駆動し合焦を得ようとするので、何度も合焦状態となり、その度に、プリ発光していたのではエネルギーの無駄となる。よって、コンティニュアスＡＦではレリーズスイッチＳ２がＯＮされた後でだけ（すなわち、図３の＃２５のＡＥ演算ではなく、＃５５のＡＥ演算で）、プリ発光を行うようにしている。尚、＃５１５により、ＡＥロックスイッチが押されている場合には、ワンショットＡＦ、コンティニュアスＡＦに拘りなくプリ発光が行われる。
【００２７】
＃５３５以降のプリ発光制御を説明する。まず、これを実行したことを示すフラグ（ＦＬＦ）をセットし（＃５３５）、フラッシュへプリ発光モードを示す信号を出力する（＃５４０）。フラッシュはこれに基づき、プリ発光モードであることを確認する。次に、定常光を記憶したメモリの値全てを別のメモリに移動させる（＃５４５）。例えば、メモリのアドレスＭに記憶させている測光値６個の内容をＭ（Ｍ＝１〜６）＋６のアドレス空間に移動させる。そしてフラッシュへ発光信号を出力し（＃５５０）、フラッシュのプリ発光での測光を行う（＃５５５）。フラッシュはプリ発光を行い、被写体からの反射光は、測光素子ＳＰＤで受光され、積分される。この測光処理のサブルーチンは前述の図７に示した通りである。このように、フラッシュのプリ発光の測光と上述した定常光の測光とは別々に分離して行われる。続いて、上記の測光出力に基づいて、フラッシュの発光量演算を行い（＃５５７）、制御値を決定し（＃５６０）、決定されたガイドナンバーＧＮｃをフラッシュに出力してリターンする（＃５６５）。
【００２８】
図１１は、上記＃５６０における制御値決定のサブルーチンを示し、図１２は上記＃６００の発光量演算の考え方を示し、図１３はそのサブルーチンを示す。まず、図１２を参照して発光量演算について説明する。測光すなわち受光素子を通して時間Ｔの間に光の状態に応じた電荷がコンデンサに蓄えられる。この光の状態は一定（疑似的に）の明るさの定常光とフラッシュによる瞬間光の被写体からの反射フラッシュ光量とがある。瞬間光を平均化すると図１２の（Ａ）→（Ｂ）のようになると考えられ、定常光ＢＶA と、定常光に反射光を加えた値ＢＶT とがあり、これらの差が反射光となる。この反射光量は、次式で求められる（図１３で＃７０５に相当）。
【００２９】
【数２】
0003543098.tif 000005
【００３０】
この反射光量はプリ発光時の所定のフラッシュ発光量に対する被写体からの反射光量であり、実際に必要なフラッシュ発光量を求めるには、反射光量と予め決められた標準の反射光量とを較べる必要がある。標準の反射光量は、プリ発光時と同じ発光量のフラッシュ光を発し、特定の被写体距離、特定の絞り、特定の反射率、特定のフィルム感度の状態を仮定してその被写体から反射してくる光量である。例えば、距離を４ｍ、絞りを４、フィルム感度ＳＶを５としたときの反射光量である。いま、受光反射光量が標準反射光量の１／２であれば、特定の絞り及び特定のフィルム感度で必要な発光量はプリ発光時のフラッシュ発光量（標準発光量）の２倍となる。式で表すと次の通りである（図１３で＃７１０に相当）。
【００３１】
【数３】
0003543098.tif 000006
【００３２】
現在使用中のカメラでの開放Ｆ値（ＡＶ0 ）、フィルム感度（ＳＶ）における制御発光量ＣＬＥＡは次式により求まり（図１３で＃７１５に相当）、ＣＬＥＡをガイドナンバーＧＮｘに変換して使用する。なお、ＡＶk は特定の絞り、ＳＶk は特定のフィルム感度である。
【００３３】
【数４】
0003543098.tif 000007
【００３４】
図１３は上記の発光量演算のサブルーチンを示す。この発光量演算は受光素子毎にＭ＝１から６まで行われ、上記の数式で示した通りの演算を順次行い、ＧＮｘをアドレスＭに記憶させる（＃７００〜＃７３５）。その後、各領域の発光量を演算する（＃７４０）。各領域のＧＮN は、当該領域のスポット測光エリア及び周辺測光エリアのＧＮの平均を取る。例えば、領域２であれば、Ｍ＝２のＧＮとＭ＝５のＧＮの平均を取る。
【００３５】
図１１により制御値決定の処理を説明する。ＡＥロックスイッチがＯＮされているか否かを判定し（＃６０２）、ＯＮされていれば（ＳＡＥＬＦ＝１）、ＦＥロック（ＡＥロックスイッチが兼用されている）となり、中央の領域２のスポット測光エリアに対応するガイドナンバーＧＮ2 をＧＮｘとし（＃６０５）、フラッシュのＡＥ演算（II）を行って（＃６１０）、リターンする。従って、フラッシュ撮影時にＡＥロックスイッチを押すことにより、領域２のスポット測光エリアに関する発光量のみが考慮されることとなる。なお、ＡＥ演算（II）に関しては後述する。＃６０２でＡＥロックスイッチがＯＮされていなければ、レリ−ズスイッチＳ２がＯＮか否かを判定し（＃６１５）、ＯＮでなければ、コンティニュアスＡＦか否かを判定し（＃６２０）、コンティニュアスＡＦであれば、ガイドナンバーＧＮｘを負の大きな数値にして（＃６２５）、＃６４５に進む。このようにガイドナンバーＧＮｘを負の大きな数値にしているのは、コンティニュアスＡＦ時には、レリ−ズスイッチＳ２のＯＮまではプリ発光を行っておらず、従って各領域のガイドナンバ−が演算されていないためである。ガイドナンバ−ＧＮｘを負の大きな値とすることにより、後述の発光量不足による警告も行われなくなる。
【００３６】
＃６１５でレリ−ズスイッチＳ２がＯＮである、或いは＃６２０でコンティニュアスＡＦでないときは、被写体距離の信頼性の有／無を判定し（＃６３０）、信頼性があれば、開放Ｆ値ＡＶ0 と距離ＤＶとから、フラッシュマチック方式によりガイドナンバーＧＮｘを決定する（＃６３５）。＃６３０で信頼性がなければ、選択領域Ｎのガイドナンバ−ＧＮN をＧＮｘとして（＃６４０）、＃６４５に進む。＃６４５では、同調最高速ＴＶｘと手振れ限界のシャッタスピードＴＶｆ（１／ｆ）とを比較し、ＴＶｘ≧ＴＶｆであれば、ＴＶｘをＴＶｆとすることにより、手振れ限界までシャッタスピ−ドを遅くし、暗い被写体も写すようにしている。（＃６５０）、そうでなければ、＃６５０をスキップし、＃６５５に進む。
【００３７】
＃６５５では、被写体距離の信頼性が判定され、信頼性があれば、逆光かどうかをフラグにより判断し（＃６６０）、逆光であれば（ＢＬＦ＝１）、フラッシュのＡＥ演算（III)を行い（＃６６５）、＃６６０で逆光でなければ、撮影倍率βが１／８０以下か否かを判定し（＃６７０）、撮影倍率βが１／８０以下であれば、フラッシュのＡＥ演算（II）を行う（＃６８０）。撮影倍率βが１／８０を越えれば、フラッシュのＡＥ演算（Ｉ）を行い（＃６７５）、リターンする。一方、＃６５５で信頼性がなければ、逆光か否かを判定し（＃６８５）、逆光であればフラッシュのＡＥ演算（III)を行う（＃６９０）。逆光でなければフラッシュのＡＥ演算（II）を行って（＃６８０）、リターンする。
【００３８】
フラッシュＡＥ演算（Ｉ），（II），（III)の説明を行う前に、図１４を参照してＡＥ演算の考え方を説明する。図１４において、横軸は被写体の輝度とフィルム感度から定まる露出値ＥＶであり、縦軸は光の寄与率である。また、ＴＶｘ≦ＴＶｆの場合の制御は実線で示し、ＴＶｘ＞ＴＶｆの場合の制御は破線で示している。図１４の（Ｉ）は撮影倍率β＞１／８０、順光の場合で、ポートレート撮影を想定しており、この特徴は、被写体が明るい状態では自然光を適正とすると共に、そのときのフラッシュ光は弱め（適正露光の２５％）にし、影の部分  （特に人物の顔において）をなくす。また、これは、キャッチライトの役目を果たす。また、被写体が浮かび上がった写真もなくす。
（II）は撮影倍率β≦１／８０、順光の場合で、画面全体が被写体であるとし、暗い部分が割合あると考え、それを少しでも少なくするために、フラッシュ光量を（Ｉ）より多くし（７５％）、全体が露出オーバーとなり過ぎないように定常光成分を減らしている（７５％）。
（III)は逆光時であり、背景（定常光）を１段オーバーにし、逆光らしい写真を撮影すると共に、主被写体はフラッシュ光量で適正にしようとするものである。
【００３９】
これらのフラッシュＡＥ演算のフローチャートを図１５〜図１７に示す。図１５はフラッシュＡＥ演算（Ｉ）のフローであり、まず、制御輝度ＢＶｃ、フィルム感度ＳＶ、同調最高速ＴＶｘとから図１４の（Ｉ）のプログラム線図に基づいて絞り値ＡＶを演算する（＃７５０）。この後、開放絞りとの偏差ΔＡＶ＝ＡＶ−ＡＶ0 を求め（＃７５５）、これが、０以上か否かを判定し（＃７６０）、０以上であれば演算した絞り値ＡＶを制御絞りＡＶｃとする（＃７６５）。これは、図１４の同調最高速ＴＶｘ（或いは手振れ限界シャッタ速度ＴＶｆ）＋開放Ｆ値ＡＶ0 以上の露出値であり、被写体が明るいことを示している。次に、制御ガイドナンバーＧＮｃを、ＧＮｘ、ΔＡＶ、−２ＥＶとから演算し、求める（＃７７０）。ここではＧＮｘが開放Ｆ値ＡＶ0 で求められているので、この補正を行っている。−２ＥＶとしたのは、フラッシュ光は適正に対して２５％の寄与率で良いからである。
【００４０】
さらに、制御ガイドナンバーＧＮｃと最大ガイドナンバーＧＮMAX とを比較し（＃７７５）、ＧＮｃ＞ＧＮMAX であれば警告する（＃７８０）と共に、制御ガイドナンバーＧＮｃをＧＮMAX として（＃７８５）、リターンする。＃７７５でＧＮｃ≦ＧＮMAX であれば、すぐにリターンする。一方、＃７６０でΔＡＶが負であれば、ΔＡＶが−２以下か否かを判定し（＃７９０）、−２以下であれば  （被写体は暗く、フラッシュ光の寄与率１００％）、制御ガイドナンバーＧＮｃをＧＮｘとし（＃７９５）、−２より大きければ、制御ガイドナンバーＧＮｃをＧＮｘと−２−ΔＡＶとから算出する（＃８０５）。−２−ΔＡＶとしているのは定常光成分が足らない分、フラッシュ光量を増加させるためである。そして、制御絞りＡＶｃを開放絞りＡＶ0 として（＃８００）、＃７７５に進む。
【００４１】
図１６は、ＡＥ演算（II）のフローであり、図１５と相違するのは、制御ガイドナンバーＧＮｃを演算するときの補正量が、−０．５ＥＶ（＃８３０）、−０．５−ΔＡＶ（＃８５０）となっていることである。
【００４２】
図１７はＡＥ演算（III)のフローであり、これを説明すると、制御輝度ＢＶｃ、フィルム感度ＳＶ、同調最高速ＴＶｘとから絞り値ＡＶを演算し（＃９００）、この絞り値ＡＶが開放Ｆ値ＡＶ0 未満か否かを判定し（＃９０５）、開放Ｆ値ＡＶ0 未満であれば、暗中の逆光として、フラッシュＡＥ演算（Ｉ）を行う（＃９１０）。ＡＶ≧ＡＶ0 なら制御絞り値ＡＶｃをＡＶとし（＃９１５）、ΔＡＶをＡＶ−ＡＶ0 で求め（＃９２０）、制御ガイドナンバーＧＮｃをＧＮｘ、ΔＡＶとから求める（＃９２５）。この後、ＧＮｃ＞ＧＮMAX かを調べ（＃９３０）、ＧＮｃ＞ＧＮMAX なら制御ガイドナンバーＧＮｃをＧＮMAX として（＃９３５）、警告し（＃９４０）、リターンする。＃９３０でＧＮｃ≦ＧＮMAX なら何もせずリターンする。
【００４３】
次に、キー操作のサブルーチンを図１８を参照して説明する。まず、ＡＥロックスイッチが既に操作されているか否かをフラグにより判定し（＃９５０）、操作されていなければ（ＳＡＥＬＦ＝０）、ＡＥロックスイッチが今ＯＮされているか否かを判定し（＃９５５）、ＯＮされていなければ、リターンし、ＯＮされていれば、ＡＥロックを示すフラグ（ＡＥＬＦ…＃２２０のようにフロー処理でセットされていることがある）をリセットし（＃９６０）、スイッチによるＡＥロックであることを示すフラグ（ＳＡＥＬＦ）をセットし（＃９６５）、リターンする。＃９６０でＡＥＬＦ＝０にすることにより、ＡＦ完了後のＡＥロックがなされていても再ＡＥロックが行われる。＃９５０において、ＡＥロックを示すフラグ（ＳＡＥＬＦ）がセットされているときは、ＡＥロックスイッチが、ＯＮからＯＦＦに変わったかを判定し（＃９７０）、変わっていれば、ＡＥロックを解除すべくＡＥロックフラグ（ＡＥＬＦ）及びスイッチによるＡＥロックを示すフラグ（ＳＡＥＬＦ）をリセットし（＃９７５，＃９７７）、リターンする。＃９７０でＯＮからＯＦＦへの変化がなく、ＡＥロックスイッチがＯＮの状態であれば、ＡＥロックを示すフラグ（ＡＥＬＦ）をセットし（＃９８０）、リターンする。
【００４４】
【発明の効果】
以上のように請求項１の発明によれば、多点測光でのフラッシュ光の調光が可能なものにおいて、露出ロック操作手段が操作されている時は、露出ロック動作が中央エリアの測光データに基づいて行なわれるので、従来のスポットＡＥロックと同様の操作性でもって所望の被写体に適正露出を行うことができる。また、露出ロック操作手段を操作することにより、フラッシュの予備発光の測光データによる露出のロック（ＦＥロック）と、定常光の測光データによる露出のロック（ＡＥロック）の両者をほぼ同じタイミングで行うことができ、容易に定常光とフラッシュ光での適正な露出制御が可能となる。また、１つの露出ロック操作手段を操作するだけで、煩雑な操作を必要とすることなく、フラッシュ撮影と非フラッシュ撮影時とに応じて、ＦＥロックとＡＥロックの使い分けが可能となり、容易に所望の被写体に対して適正な露光を行うことができる。
また、請求項２の発明によれば、露出ロック時に、複数の測光エリアについての定常光の測光データと、フラッシュ撮影に先立つ予備的発光の複数の測光エリアについての被写体からの反射光量を測定した予備発光データとから必要なデータを取り出し、定常光及びフラッシュ光による露光が制御されるので、撮影者の意図した撮影が可能となり、例えば、通常では主被写体とはならないような対象物を主被写体とするような撮影を行うことができる。また、請求項３の発明によれば、フラッシュ撮影と非フラッシュ撮影時とに応じて各光での露光を制御して請求項２で記載したような撮影を行うことができる。
【図面の簡単な説明】
【図１】本発明が適用されるカメラにおける測光光学系の概略構成図である。
【図２】同カメラの制御部の概略構成図である。
【図３】メインスイッチＯＮ時の処理のフローチャートである。
【図４】撮影画面内の測光等のエリアを示す図である。
【図５】ＡＦ処理のフローチャートである。
【図６】測光演算処理のフローチャートである。
【図７】測光処理のフローチャートである。
【図８】測光回路部の構成図である。
【図９】光分布状態検出処理のフローチャートである。
【図１０】ＡＥ演算処理のフローチャートである。
【図１１】発光量、ＡＥ演算処理のフローチャートである。
【図１２】発光量演算の考えを説明する図である。
【図１３】発光量演算のフローチャートである。
【図１４】フラッシュＡＥ演算のためのプログラム線図である。
【図１５】フラッシュＡＥ演算のフローチャートである。
【図１６】フラッシュＡＥ演算のフローチャートである。
【図１７】フラッシュＡＥ演算のフローチャートである。
【図１８】キー操作処理のフローチャートである。
【符号の説明】
μＣ  マイクロコンピュータ
ＳＰＤ  測光素子
ＳAEL ＡＥロックスイッチ
１２  測光／調光回路
１５  フラッシュ
【図１】
0003543098.tif 000008
【図２】
0003543098.tif 000009
【図３】
0003543098.tif 000010
【図４】
0003543098.tif 000011
【図５】
0003543098.tif 000012
【図６】
0003543098.tif 000013
【図７】
0003543098.tif 000014
【図８】
0003543098.tif 000015
【図９】
0003543098.tif 000016
【図１０】
0003543098.tif 000017
【図１１】
0003543098.tif 000018
【図１２】
0003543098.tif 000019
【図１３】
0003543098.tif 000020
【図１４】
0003543098.tif 000021
【図１５】
0003543098.tif 000022
【図１６】
0003543098.tif 000023
【図１７】
0003543098.tif 000024
【図１８】
0003543098.tif 000025